【事件の表示】
　特許第３０８４５６０号に関する訂正審判事件について、次のとおり審決する。
【結　論】
　本件審判の請求は、成り立たない。
【理　由】
【１】本件審判の請求の要旨
　本件訂正審判の請求の要旨は、特許第３０８４５６０号（平成11年6月23日出願（特願平11-176383号［平成4年9月18日出願（特願平4-273408号）の分割出願］、平成11年12月10日設定登録）の明細書を、審判請求書に添付した訂正明細書のとおり訂正することを求めるものである。
（１）訂正の要旨
　本件訂正の要旨は、審判請求書に記載された以下の訂正事項ａ〜ｈのとおりであって、その訂正内容は、特許請求の範囲について、その請求項１の削除及び請求項２に係る発明の構成を限定することによる特許請求の範囲の減縮、また前記請求項１の削除に伴う請求項３乃至５の請求項の繰り上げに係る明りょうでない記載の釈明を目的とし、さらに発明の名称及び発明の詳細な説明について、前記特許請求の範囲の減縮に伴う明りょうでない記載の釈明を目的とするものである。
（２）訂正事項
（2-1）訂正事項ａ
　明細書の発明の名称に係わる記載、「遊技機用釘間隔の測定装置及び測定方法」を、明りょうでない記載の釈明を目的として、「遊技機用釘間隔の測定方法」と訂正する。
（2-2）訂正事項ｂ
　特許第3084560号発明の明細書中の特許請求の範囲の請求項1を、特許請求の範囲の減縮を目的として削除する。
（2-3）訂正事項ｃ
　特許請求の範囲の請求項2を請求項1に繰り上げて、繰り上げられた新請求項1に係わる記載、
　「【請求項1】　障害釘の内法間隔を測定する障害釘測定手段、前記障害釘測定手段の測定動作の実行または停止を制御する動作制御手段、前記動作制御手段から測定を実行すべき動作制御信号が発せられた場合に前記障害釘測定手段が障害釘の内法間隔を測定してデータとし、当該データを演算して出力するデータ演算出力手段とを少なくとも有する遊技機用釘間隔測定装置により、1対の障害釘の内法間隔を測定したら、測定値をデータとして出力してコンピュータ等にデータ転送するようにしたことを特徴とする遊技機用釘間隔の測定方法。」
　を、特許請求の範囲の減縮を目的として、
　「【請求項1】　
1対の
2個の釘接触ゲージ手段にそれぞれ接続する2個の杆体の動きによる読取ディジタルデータにより
　前記障害釘測定手段の測定動作の実行または停止を制御する動作制御手段、
　前記動作制御手段から測定を実行すべき動作制御信号が発せられた場合に、
前記釘接触ゲージ手段を1対の遊技機障害釘の間に挿入した際に、釘接触ゲージ手段が障害釘の内面に追随するまでの間データを取り込まないで、充分に追随した後にデータを取り込み、
数値表示するとともに
　1対の障害釘の内法間隔を
釘接触ゲージ手段が充分に追随した後のデータとして
数値表示するとともに
釘間隔をディジタル値で計測したディジタルデータを
　と訂正する。
（2-4）訂正事項ｄ
　特許請求の範囲の請求項3から5の記載、
　「【請求項3】　データは一時的に記憶され、その後に出力してコンピュータ等にデータ転送される請求項2に記載の遊技機用釘間隔の測定方法。
　【請求項4】　1台の遊技機毎のデータを出力してコンピュータ等にデータ転送するようにした請求項2または3のいずれかに記載の遊技機用釘間隔の測定方法。
　【請求項5】　遊技機の島毎の全データを記憶し、全データ収集後にまとめて出力し、コンピュータ等にデータ転送するようにした請求項2または3のいずれかに記載の遊技機用釘間隔の測定方法。」
　を、請求項2から4に繰り上げることによる明りょうでない記載の釈明として、
　「【請求項
2
1
　【請求項
3
1
2
　【請求項
4
1
2
　と訂正する。
（2-5）訂正事項ｅ
　明細書の【0001】の項、
　「【発明の属する技術分野】
　本発明は、パチンコ機等の遊技機に植穀される障害釘の間隔を測定する遊技機用釘間隔の測定装置及び測定方法に係り、特に、釘間隔のデータを有効に出力可能な遊技機用釘間隔の測定装置及び測定方法に関する。」
　を、明りょうでない記載の釈明を目的として、
　「【発明の属する技術分野】
　本発明は、パチンコ機等の遊技機に植設される障害釘の間隔を測定する遊技機用釘間隔の測定方法に係り、特に、釘間隔のデータを有効に出力可能な遊技機用釘間隔の測定方法に関する。」
　と訂正する。
（2-6）訂正事項ｆ
　明細書の【0004】の項、
　「【課題を解決するための手段】
　上記の課題を解決するため、本発明に係る遊技機用釘間隔の測定装置は、1対の障害釘の内法間隔を測定する障害釘測定手段と、前記障害釘測定手段の測定動作の実行または停止を制御する動作制御手段と、前記動作制御手段から測定を実行すべき動作制御信号が発せられた場合に前記障害釘測定手段が障害釘の内法間隔を測定してデータとし、当該データを演算して出力し、コンピュータ等にデータ転送するデータ演算出力手段とを有する。」
　を、明りょうでない記載の釈明を目的として、
　「【課題を解決するための手段】
　上記の課題を解決するため、本発明に係る遊技機用釘間隔の測定
方法は、1対の障害釘の内法間隔を2個の釘接触ゲージ手段にそれぞれ接続する2個の杆体の動きによる読取ディジタルデータにより測定する障害釘測定手段、前記2個の杵体の動きによる読取ディジタルデータにより測定する障害釘測定手段、前記障害釘測定手段の測定動作の実行または停止を制御する動作制御手段、前記動作制御手段から測定を実行すべき動作制御信号が発せられた場合に、前記釘接触ゲージ手段を1対の遊技機障害釘の間に挿入した際に、釘接触ゲージ手段が障害釘の内面に追随するまでの間データを取り込まないで、充分に追随した後にデータを取り込み、障害釘測定手段が障害釘の内法間隔を測定してデータとし、当該データを演算して数値表示するとともに出力してコンピュータ等に釘間隔をディジタル値で計測したディジタルデータを転送するようにしたことを特徴とする。
　と訂正する。
（2-7）訂正事項ｇ
　明細書の【0005】の項、
　「また本発明の測定方法によれば、障害釘の内法間隔を測定する障害釘測定手段、前記障害釘測定手段の測定動作の実行または停止を制御する動作制御手段、前記動作制御手段から測定を実行すべき動作制御信号が発せられた場合に前記障害釘測定手段が障害釘の内法間隔を測定してデータとし、当該データを演算して出力するデータ演算出力手段とを少なくとも有する遊技機用釘間隔測定装置により、1対の障害釘の内法間隔を測定したら、測定値をデータとして出力してコンピュータ等にデータ転送するようにしたこと、データは一時的に記憶され、その後に出力してコンピュータ等にデータ転送されること、1台の遊技機毎のデータを出力してコンピュータ等にデータ転送するようにしたこと、遊技機の島毎の全データを記憶し、全データ収集後にまとめて出力してコンピュータ等にデータ転送するようにしたこと、等も含むものである。」
　を、明りょうでない記載の釈明を目的として、
　「また本発明の測定方法によれば
、データは一時的に記憶され、その後に出力してコンピュータ等に釘間隔をディジタル値で計測したディジタルデータが転送される
　と訂正する。
（2-8）訂正事項ｈ
　明細書の【0040】の項、
　「【発明の効果】
　以上説明したように、上記構成を有する本発明に係る遊技機用釘間隔の測定装置及び測定方法によれば、1対の障害釘の内法間隔を測定する障害釘測定手段と前記障害釘測定手段の測定動作の実行または停止を制御する動作制御手段とにより、必要なときに必要なデータを、確実に、高精度に測定することができる。そして、データ演算出力手段により、前記動作制御手段から測定を実行すべき動作制御信号が発せられた場合に前記障害釘測定手段が障害釘の内法間隔を測定してディジタルデータとし、当該データを演算して出力し、コンピュータ等にデータ転送するので、従来のアナログ式の釘間隔測定装置と比べ、指針等が落ち着くまでの時間等も含め、測定データをディジタル値で自動的に表示可能であり、読取誤差も生じない、という効果を有している。さらに、読み取ったデータを直接コンピュータ等にデータ転送するので、テンキーなどでコンピュータ等に手動で再度入力する必要がなく、手動入力によるエラーが発生しないし、即座に正確なパチンコ遊技店において著しく実用的価値の高いものとなる。」
　を、明りょうでない記載の釈明を目的として、
　「【発明の効果】
　以上説明したように、上記構成を有する本発明に係る遊技機用釘間隔の
測定方法
2個の釘接触ゲージ手段にそれぞれ接続する2個の杆体の動きによる読取ディジタルデータにより
、釘接触ゲージ手段が障害釘の内面に追随するまでの間データを取り込まないで、充分に追随した後にデータを取り込み、
　と訂正する。
　
【２】訂正拒絶の理由の概要
　本件訂正について、平成１５年１月３０日付けで通知した訂正拒絶の理由は、下記の刊行物１乃至６を引用し、概要、以下のとおりである。
『訂正された請求項１に係る発明は、以下の刊行物１乃至６に記載された発明に基づいて当業者が容易に発明をすることができたものであるから、特許法第２９条第２項の規定により特許出願の際独立して特許を受けることができないものと認められる。
［引用刊行物］
　(1)刊行物１　特開平4-95704号公報（本件特許に係る無効審判事件［2001-35180号］の甲第１号証参照）
　(2)刊行物２　「みつとよ技報」No.25（株）三豊製作所（昭和59年6月6日発行）（同無効審判事件の甲第２号証参照）
　(3)刊行物３　実願平1-94280号（実開平3-33302号）のマイクロフィルム（同無効審判事件の甲第４号証参照）
　(4)刊行物４　特開昭58-55709号公報（同無効審判事件の甲第５号証参照）
　(5)刊行物５　実公平1-20653号公報
　(6)刊行物６　実願昭55-83622号（実開昭57-8560号）のマイクロフィルム
　以上のとおり、本件訂正審判による訂正明細書の特許請求の範囲の請求項１に係る発明は、特許法第２９条第２項の規定により特許出願の際独立して特許を受けることができないものであるから、この訂正は、特許法第１２６条第４項の規定に適合しないので、本件訂正は認められない。』
　
【３】当審の判断
（１）訂正明細書の請求項１に記載された発明
　本件訂正審判により訂正された請求項１に係る発明（以下「本件訂正発明１」という。）は、以下のとおりのものである。
「【請求項１】　
１対
２個の釘接触ゲージ手段にそれぞれ接続する２個の杆体の動きによる読取ディジタルデータにより
　前記障害釘測定手段の測定動作の実行または停止を制御する動作制御手段、
　前記動作制御手段から測定を実行すべき動作制御信号が発せられた場合に、
前記釘接触ゲージ手段を１対の遊技機障害釘の間に挿入した際に、釘接触ゲージ手段が障害釘の内面に追随するまでの間データを取り込まないで、充分に追随した後にデータを取り込み、
数値表示するとともに
　１対の障害釘の内法間隔を
釘接触ゲージ手段が充分に追随した後のデータとして
数値表示するとともに
釘間隔をディジタル値で計測したディジタルデータを
（２）引用刊行物
（2-1）上記引用刊行物１（特開平4-95704号公報）には、その実施例及び図面とこれに係わる記載を参酌すると、概要、以下のような技術的事項が記載されている。
　(i)「遊技盤上の複数本の釘に対して所定光量の光を投光する投光手段と、該投光された光を受光する受光手段と、該受光された光の明度を所定値と比較することにより上記複数本の釘の間隔を測定する釘間隔測定手段と、を備えて構成されたことを特徴とする釘間隔測定装置。」（第1頁左下欄、特許請求の範囲）、
　(ii)「本発明は、パチンコ機やアレパチ機等の弾発遊技機に関し、詳しくは遊技盤上の釘の間隔を測定する装置に関する。」（第1頁左下欄16〜18行）、
　(iii)「本発明ー実施例の釘間隔測定装置は、第2図に示すように、指向性の強い光を発するレーザー発振器1と、レーザー発振器1による光を遊技盤上の2本の釘kg1及びKg2に投光するための後に詳述する光学素子系2と、該光学素子系2により投光された光を釘kg1及びkg2の反対側で受光する光学素子系3と、該受光された光を電気信号に変換するためのイメージセンサ4と、該イメージセンサ4より出力されるアナログ信号としての電気信号をデジタル信号に変換するデジタル変換回路5と、該デジタル化された信号から上記釘kg1と釘kg2との離間距離を演算する釘間隔演算回路6と、から構成されている。
　本実施例では、デジタル変換回路5と釘間隔演算回路6とは、第3図に示すように、電子制御装置7として一体に構成されている。電子制御装置7は、CPU7aを中心として、これとROM7b,RAM7c,A/Dコンバーター7d及び外部入出力回路7eをパス7fにより相互に接続した論理演算回路として構成されている。電子制御装置7の外部入出力回路7eにはデジタル表示装置8が接続されている。」（第2頁左下欄6行〜同頁右下欄8行）、
　(iv)「尚、本実施例では、レーザー発振器1及び光学素子系2が投光手段(M1)に、光学素子3及びイメージセンサ4が受光手段(M2)に、デジタル変換回路5及び釘間隔演算回路6としての電子制御装置7が釘間隔測定手段(M3)に、各々対応する。」（第3頁左上欄1〜6行）、
　(v)「この「釘間隔測定ルーチン」は、電子制御装置7のCPU7aにより実行される処理である。
　まず、イメージセンサ4からの出力があるか否かが判定され（ステップS100）、出力が有ると判断されるとA/Dコンバーター7dを介してイメージセンサ4の出力するアナログ信号をデジタル信号に変換してRAM7cに明度信号1igとしてセイブする（ステップS110）。……明度信号1igを2値化信号とする処理を行う（ステップS130）。……。
　次にこの２値化信号Sgから2本の釘Kg1とKg2との釘間隔lを演算する処理が行われる（ステップS140）。……2本の釘Kg1とKg2との釘間隔lが演算されると、この釘間隔lは外部入出力回路7eを介してデジタル表示装置8に出力され表示される（ステップS150）。」（第3頁左上欄9行〜同頁左下欄12行）、
　(vi)「遊技盤上の2本の釘Kg1とKg2との釘間隔lは、一律に、しかも正確に1/100［mm］の単位以上に細かく容易に客観的に求めることができるという効果を有する。」（第3頁左下欄15〜末行）、
（2-2）上記引用刊行物２（「みつとよ技報」No.25（株）三豊製作所発行）には、14頁図１、34頁写真及び35頁図1（デジマチックキャリパ）とこれらに係わる記載を参酌すると、以下のような技術的事項の記載が認められる。
　(i)「当社の”デジマチック”とはノギス，ダイヤルゲージ，マイクロメータ，ハイトゲージなど，いわゆるスモールツール（測定工具）と呼ばれている測定器を電子デジタル化したものの中で，測定値の表示装置が測定器自身の中に組み込まれているタイプの製品の称である。」（第13左欄2〜6行）、
　(ii)「工程管理の普及向上により，データの収集と結果の集計，報告などを人手を掛けず，人為ミスの生じない形で行うために測定器をデジタル化し，データの出力が行えるようにする要求である。現在ではパソコンの普及でこの要求は広く一般的なものとなっており，測定器はデータ処理システムの入力デバイスの1つに過ぎないとする見方さえ生まれている。」（第13左欄32〜38行）、
　(iii)「5．出力
　デジマチック製品の出力の基本的なフォーマットは統一されており，測定器とデータ処理装置とはいずれの組合せでも接続可能である（図1）。またデータ処理装置からRS-232Cによって出力しているのでほとんどのパソコンに接続が可能である。」（第17頁右欄17〜22行）、
　(iv)「2-3．集中統計演算，管理図作成
　測長器で測定したデータをバッチ方式，あるいはダイレクトイン方式でメインとなるコンピュータに接続し，そのコンピュータに備わっているソフトウエアによって集中的に処理し，管理に必要な作表やチェックを行なうに当って，必要な予測データなどを作成する部分になっている。この場合コンピュータは得られた測長データをどのように利用するかによって，その要求されるサイズは異なるが，通常の利用においてはパーソナルコンピュータを対象として設計されている。
　このコンピュータデータを伝送する方式として，パッチ方式としてはデータロガーが準備されており，データを収集する現場においては測長器とデータロガーを組み合わせて使用する。いったん収録されたデータは，データロガーをコンピュータへ接続することにより，コンピュータの記憶装置へと転送される。一方ダイレクトイン方式は測長器出力をインタ一フェースを介してマルチプレクサ，あるいはコントロールユニットに導き入れ，メインのコンピュータへと接続する。」（第25頁左欄14〜32行）、
　(v)「ノギスは多くの測定機能を兼ね備えていることに加えて、コンパクト、軽量、片手で操作できて持ち運びに便利なこともあり、汎用性の高い広範囲に使われている最もポピュラーな測定器である。……。また、最近においては電子化されたデジタル式のノギスが登場し、急速に普及しはじめている。」（第34頁左欄2〜14行）、
　(vi)「(5)出力付である。（Mタイプ）
　別売りのデジマチックミニプロセッサDP-1,DP-2に接続すると測定データの記録や統計演算処理が行える。パーソナルコンピュータと接続することもでき、より高度な処理を行う測定にも使用できる。従来のノギスの観念を一変させるものである。」（第35頁左欄6〜11行）、
（2-3）上記引用刊行物３（実願平1-94280号（実開平3-33302号）のマイクロフィルム）には、その実施例及び図面とこれに係わる記載を参酌すると、概要、以下のような技術的事項が記載されている。
　(i)「パチンコ型分割球部(1),(2)を先端に設けた測定杆(3),(4)の開き角度を、ゲージ体(5)で表示するようにしたパチンコ機専用釘間隙調整用ゲージに於いて、該パチンコボール型分割球部(1),(2)の外側面よりピン(6),(7)を突出させたパチンコ機専用釘間隙調整用ゲージの改良。」（公開明細書第1頁、実用新案登録請求の範囲）、
　(ii)「本考案は上述の如く構成したもので、パチンコ型分割球部(1),(2)を先端に設けた測定杆(3),(4)の開き角度を、ゲージ体(5)で表示するようにしたパチンコ機専用釘間隙調整用ゲージに於いて、該パチンコボール型分割球部(1),(2)の外側面よりピン(6),(7)を突出させ、釘間を通過する際に拝み合わさったパチンコ型分割球部(1),(2)が、充分通過した位置でピン(6),(7)が両側の釘に引っ掛かり、測定杆(3),(4)の開き角度を固定し、ゲージ体(5)で表示される数値を針の振れが無い状態で読み取ることが出来る。」（公開明細書第3頁第14行〜第4頁第8行）、
　(iii)「第1図は本考案の正面図であり、パチンコ型分割球部(1),(2)を先端に設けた測定杆(3),(4)の開き角度を、ゲージ体(5)で表示するようにしたパチンコ機専用釘間隙調整用ゲージに於いて、該パチンコボール型分割球部(1),(2)の外側面よりピン(6),(7)を突出させると、両側の釘をパチンコボールが十分通過した状態の釘間を測定出来る。
　第2図はパチンコ型分割球部(1),(2)を示す斜視図であり、ピン(6),(7)を、中心よりやや前方に突出させた状態を示すものである。」（公開明細書第4頁第11行〜第5頁第4行）、
　(iv)測定杆(3),(4)は開き角度が得られるものであり、図面第1図によると、この測定杆(3),(4)の間には「コイルスプリング」が介装されていることが認められる。
（2-4）上記引用刊行物４（特開昭58-55709号公報）は、内部測定用のパス腕形測定計器に係り、概要、以下のような技術的事項が開示されている。
　(i)計器ハウジング(1)から2本のパス腕(2)(3)が突出しており、このパス腕(2)(3)は管もしくは内部溝の内部測定を行なうように形成されている。（第6頁左上欄第5〜9行）
　(ii)パス腕(3)の端部(6)を第2のピストン(62)に抗して引張る戻しばね(63)を備える。（第9頁右上欄第2〜9行）
　(iii)計器の操作は押ボタン(34)によって行なわれる（第6頁左下欄第8〜9行）。スイッチ(44)はオン/オフ・スイッチであり、…、総てのスイッチは第8図に示されるような構造（箔スイッチの構造）を有している。（第8頁右上欄第7〜18行）
　(iv)信号処理装置(27)が時限素子を有しており、該時限素子により信号処理は測定に対して少なくとも約0.4秒遅延される。（第3頁左上欄18〜20行）
　(v)光電センサ(23)は、増分発生器(21)のマーク(22)が通過する際、その出力端に2つの位相のずれに電気パルス列を発生する。この場合パルス数はパス腕(2)(3)の鋭端(2a)(3a)間の間隔の変化に対応する。（第6頁右下欄18行〜第7頁左上欄第2行）
　(vi)2つの光電センサ(23)の出力は、導体(25)(26)を介して信号処理装置(27)に供給される（第7頁左上欄第3〜5行）。また、測定値は信号処理装置(27)においていろいろな演算にかけられ、しかる後に最終結果がディジタル量として表示される（第4頁右上欄第4〜6行）。さらに、信号処理装置(27)は、選択的に最大、最小測定値または或る測定値の公差範囲に対する位置の表示を実施することができるように設計され接続されたマイクロコンピュータである。（第5頁左下欄8〜11行）
　(vii)表示装置(31)がディジタル表示部を備える（請求項8）。表示されたディジタル測定値を、後処理の目的で外部計算器に供給する。（第4頁右上欄第17〜18行）
（2-5）上記引用刊行物５（実公平1-20653号）は、容器内の液量を検出して液量表示を行うものに係り、以下の事項が記載されている。
　(i)「このゲートに入力されるラッチ信号は前記測定開始パルス発生回路24で作られるものであるが、第4図ホに示す様に、測定開始パルスから一定時間遅れて発生する。この時間はコンデンサCxの充電に要する最大時間及び、カウンタ29の遅れ時間から設定される。」（第3頁右欄第20〜25行）、
（2-6）上記引用刊行物６（実願昭55-83622号（実開昭57-8560号）のマイクロフィルム）は、測定装置の表示装置に係るものであって、以下の事項が記載されている。
　(i)「少なくとも圧砕直後の所定時間は含水率値の表示状態を不完全な表示とし、前記所定時間経過後は表示状態を完全な表示にした」（実用新案登録請求の範囲）、
（３）対比・判断
（対比）
　本件訂正発明１と引用刊行物１（特開平4-95704号公報）に記載された発明とを対比する。
　引用刊行物１における「投光手段(M1)と受光手段(M2)」は、２本の釘(Kg1,Kg2)の内法間隔である釘間隔(l)等を明度信号（lig)の読取データとして得るものであるから、本件訂正発明１における「障害釘測定手段」に相当し、また引用刊行物１における「デジタル変換回路(5)と釘間隔演算回路(6)、及び電子制御装置(7)」は、釘間隔測定ルーチンに従って明度信号（lig)から釘間隔(l)のデジタルデータをCPU(7a）等で演算し、外部入出力回路(7e)を介してデジタル表示装置(8)へ出力しているものであるから、本件訂正発明１における「データ演算出力手段」に対応させることができる。なお、引用刊行物１においては、釘間隔の測定が釘間隔測定ルーチンに従って動作するものの、その測定動作の実行及び停止に係わるスイッチ等の記載は認められないが、通常、測定動作においては、その実行及び停止のための制御手段、例えば測定開始スイッチ等を具備することは当業者に自明の技術的事項（例えば、上記引用刊行物４の押しボタン(34)、オン/オフ・スイッチ(44)参照）であり、また、本件訂正発明１における「動作制御手段」の具体的構成（本件訂正明細書の段落【0014】）を参酌しても、スイッチ(6)で構成されているのであるから、引用刊行物１においても実質的にスイッチ等の動作制御手段を具備するものと認められる。
　したがって、両者は、以下のとおりの一致点及び相違点を有する。
（一致点）
「１対の障害釘の内法間隔を読取データにより測定する障害釘測定手段、
　前記障害釘測定手段の測定動作の実行または停止を制御する動作制御手段、
　前記動作制御手段から測定を実行すべき動作制御信号が発せられた場合に、前記障害釘測定手段が障害釘の内法間隔を測定してデータとし、当該データを演算して数値表示するとともに出力するデータ演算出力手段を少なくとも有する遊技機用釘間隔測定装置により、
　１対の障害釘の内法間隔を測定したら、測定値をデータとして数値表示するとともに出力してコンピュータ等に釘間隔をディジタル値で計測したディジタルデータを転送するようにした遊技機用釘間隔の測定方法。」
（相違点）
(i)障害釘測定手段とその読取データが、本件訂正発明１にあっては、２個の釘接触ゲージ手段にそれぞれ接続する２個の杆体の動きによる読取ディジタルデータにより測定するものであるのに対して、引用刊行物１にあっては、投光手段(M1)と受光手段(M2)とによる障害釘測定手段で明度信号（lig)の光学的読取データにより測定するものである点、
(ii)データ演算出力手段が、本件訂正発明１にあっては、釘接触ゲージ手段を１対の遊技機障害釘の間に挿入した際に、釘接触ゲージ手段が障害釘の内面に追随するまでの間データを取り込まないで、充分に追随した後にデータを取り込むものであり、データが、釘接触ゲージ手段が充分に追随した後のデータとして測定したら、測定値をデータとして数値表示するとともに出力してコンピュータ等に釘間隔をディジタル値で計測したディジタルデータを転送するものであるのに対して、引用刊行物１にあっては、データを取り込み、当該データを演算して数値表示するものである点、
（検討）
　相違点(i)について検討すると、間隔等の寸法（距離）を測定する測定器において、寸法（距離）の読取・測定手段として２個の接触ゲージ手段を用い、これにそれぞれ接続する２個の杆体の動きによって読取データを得ることは本件出願当時の周知技術である。すなわち、上記引用刊行物２（「みつとよ技報」No.25）における34頁写真及び35頁図1「デジマチックキャリパ」のノギス、或いは上記引用刊行物３（実願平1-94280号（実開平3-33302号）のマイクロフィルム）におけるパチンコ機専用釘間隔調整用ゲージ、及び上記引用刊行物４におけるパス腕形測定計器に見られるところであり、殊に、上記引用刊行物３（実願平1-94280号（実開平3-33302号）のマイクロフィルム）にあっては、パチンコ機専用のもので、２個の釘接触ゲージ手段であるパチンコボール型分割球部(1)(2)と、これにそれぞれ接続する２個の測定杆(3)(4)の動きによる読取データにより、釘間隔を測定するものが開示されている。そして、この読取・測定手段による読取データを、読取デジタルデータとして測定することも、上記引用刊行物２におけるノギス「デジマチックキャリパ」として、また上記引用刊行物４におけるディジタル信号に変換する等として開示されており、また２個の接触ゲージ手段を「２個の釘接触ゲージ手段」とすることも測定の対象が遊技機の釘間隔であることを勘案すると、当業者が適宜になし得るものと認められる。
　したがって、本件訂正発明１のように、障害釘測定手段を２個の釘接触ゲージ手段にそれぞれ接続する２個の杆体の動きによるものとし、また読取ディジタルデータにより測定する構成となすことは、引用刊行物２乃至４及び周知の技術的事項を参酌することにより当業者が容易になし得ることと認められる。
　相違点(ii)について検討すると、本件訂正発明１において「接触ゲージ部を１対の遊技機障害釘の間に挿入した際に接触ゲージ部が遊技機障害釘の内面に追随するまでの期間データを取り込まないで、充分に追随した後にデータを取り込む」ようになすことの技術的意義は、明細書の記載を参酌しても明確な記載は見当たらないものの、発明の効果として「従来のアナログ式の釘間隔測定装置と比べ、指針等が落ち着くまでの時間等も含め、測定データをディジタル値で自動的に表示可能であり、読取誤差も生じない、という効果を有している。」（段落番号【0040】、特許公報第5頁右欄第43〜46行）と記載され、「自動的に表示可能」で「読取誤差も生じない」というものと認められる。
　しかしながら、このような表示、読取誤差に係わる構成として、充分に追随した後にデータを取り込むようになすことは、上記引用刊行物４にも「時限素子により信号処理は測定に対して少なくとも約0.4秒遅延される」（第3頁左上欄18〜20行）と記載されており、また例えば上記引用刊行物５、６に見られるように従来より周知の技術的事項であって、上記引用刊行物１においてもデータを取り込んで自動的にディジタルデータをデジタル表示装置(8)に数値表示するものであるから、この構成は上記引用刊行物４乃至６及び周知の技術的事項を参酌することにより当業者が容易になし得ることと認められる。また、測定したデータをコンピュータ等に転送することは上記引用刊行物２、４に開示されており、また引用刊行物１においても電子制御装置(7)には外部入出力回路(7e)を具備するものであって、この電子制御装置(7)はCPU構成であるから、この外部入出力回路(7e)を介して「コンピュータ等に計測したディジタルデータを転送する」ことができるように構成することは、当業者が容易になし得ることと認められる。
　また、本件訂正発明１が奏する作用効果も、当業者が予測できる程度のものであって格別なものとは認められない。
（４）請求人の主張について
　請求人は、平成１５年４月７日付けで意見書を提出し、相違点(ii)について、
「(ニ)訂正された本特許発明と前記引用刊行物4ないし引用刊行物6に記載された技術的事項とは、単に測定時間を遅らせるという点で共通しています。
　しかし、訂正された本特許発明は、前述のように、障害釘を備えた遊技機において、いろいろな能力の持ち主が異なる状態に配置された測定すべき1対の障害釘の内法の間隔を、釘師と同じように、1/100mm以下の単位で測定できるようにするために、前記動作制御手段(2-2)やデータ演算出力手段(2-4)を備えています。
　また、前記引用刊行物4ないし引用刊行物6に記載された技術的事項には、本特許発明が出願された当時の釘師の存在や遊技機用釘間隔の測定方法に関する技術的水準に対する記載および示唆する記載がありません。」（意見書第13頁第3〜12行）旨主張している。
　しかしながら、前記引用刊行物４乃至６を引用する主旨は、前記したとおり「表示、読取誤差に係わる構成として、充分に追随した後にデータを取り込むようになす」技術的事項であって、請求人が主張するような「障害釘を備えた遊技機」を前提とするところまでの技術を引用するものではない。そして、1/100mm以下の単位で測定できることも前記引用刊行物１に明示されており（前掲(vi)参照）、また前提とする「障害釘を備えた遊技機」における１対の障害釘の内法間隔の測定、データの数値表示、ディジタルデータの転送は、前記のとおり引用刊行物１に記載された発明と一致するところであって相違するものではないのであるから、請求人の当該主張は採用することができない。
（５）まとめ
　以上のとおりであって、本件訂正発明１は、前記引用刊行物１乃至６に記載された発明及び周知の技術的事項に基づいて当業者が容易に発明をすることができたものと認められる。
　
【４】むすび
　以上のとおり、本件審判の請求は、特許法第１２６条第４項の規定に適合しない。
　よって、結論のとおり審決する。